(57)【特許請求の範囲】
【請求項１】
登録モードにおいて書き込まれた商品の品名および価格を含む印字データを、通常モードにおいてラベルに印字してラベルを発行するラベル発行装置であって、
通常モードで、ラベル上の印字欄に対応する印字ユニットごとの色指定の変更指令を入力する変更指令入力手段と、
色指定の変更を印字ユニットごとに記憶する変更ユニット記憶手段と、
記憶された変更ユニットに基づいて、前記変更した色指定の印字データに対応した印字を行わせる印字制御手段とを備えたラベル発行装置。
【請求項２】
登録モードにおいて書き込まれた商品の品名および価格を含む印字データを、通常モードにおいてラベルに印字してラベルを発行するラベル発行装置であって、
品名を含む商品情報と、商品情報ごとの色指定とを記憶した商品マスタ記憶手段と、
前記商品マスタ記憶手段に記憶された個々の商品情報の色指定の変更を入力する変更指令入力手段と、
入力された色指定の変更に基づいて、前記商品情報の印字データに対応した印字を行わせる印字制御手段と、
ラベル上の印字欄に対応する印字ユニットごとの色指定を含む印字フォーマットを記憶する印字フォーマット記憶手段と、
通常モードにおいて、前記変更指令入力手段から入力された色指定を、登録モードにおいて行われた、前記印字フォーマット記憶手段に記憶された印字ユニットごとの印字フォーマットの色指定に優先する優先手段と、を備え、
前記印字制御手段は、優先された色指定の変更に基づいて、前記商品情報の印字データに対応した印字を行わせるラベル発行装置。
【発明の詳細な説明】
【０００１】
【発明の属する技術分野】
本発明は、品名，価格を含む印字データをラベルに印字するラベル発行装置に関する。
【０００２】
【従来の技術】
一般に、スーパーマーケットのバックヤードやコンビニエンスストアのパックセンター等においては、商品ごとに、ラベルを発行する通常モードで、ラベル発行装置によって、商品の品名，単価，重量，価格等を印字したラベルを発行して、パック詰めにした商品に貼付している。
【０００３】
上記ラベルの印字フォーマットは、品名，価格，重量等の印字欄に対応する印字ユニットのレイアウトや印字の大きさ等を含むものであり、ユーザのニーズに応じて作成される。ここに、ユーザにおいて、印字フォーマットにおける印字データを一旦登録した後に、印字ユニットごとに印字色を変更したい場合がある。例えば、消費者に買い得感を与えることを目的として、価格の印字欄に、値引き後価格（Ｍ（マークダウン）特価）を、赤色印字するような場合である。
【０００４】
【発明が解決しようとする課題】
上記の場合、従来のラベル発行装置では、通常モードとは別に、ラベルの印字フォーマットや印字するデータを登録する登録モードで、ラベルの色指定を行うので、色指定の変更ごとに、計量値付けモードから登録モードに変更する必要があり、煩雑であるという問題があった。
【０００５】
本発明は、上記の問題点を解決して、色指定の変更を容易に行うことができるラベル発行装置を提供することを目的としている。
【０００６】
【課題を解決するための手段】
上記目的を達成するために、請求項１のラベル発行装置は、登録モードにおいて書き込まれた商品の品名および価格を含む印字データを、通常モードにおいてラベルに印字してラベルを発行するものであって、ラベルを発行する通常モードで、ラベル上の印字欄に対応する印字ユニットごとの色指定の変更指令を入力する変更指令入力手段と、色指定の変更を印字ユニットごとに記憶する変更ユニット記憶手段と、記憶された変更ユニットに基づいて、前記変更した色指定の印字データに対応した印字を行わせる印字制御手段とを備えている。
【０００７】
上記ラベル発行装置によれば、通常モードで、印字ユニットごとに、色指定の変更指令を入力することにより、この色変更指令に基づいて、変更した色指定の印字データに対応した印字を行わせることができるので、色指定の変更を容易に行うことができる。
【０００８】
請求項２のラベル発行装置は、登録モードにおいて書き込まれた商品の品名および価格を含む印字データを、通常モードにおいてラベルに印字してラベルを発行するものであって、品名を含む商品情報と、商品情報ごとの色指定とを記憶した商品マスタ記憶手段と、前記商品マスタ記憶手段に記憶された個々の商品情報の色指定の変更を入力する変更指令入力手段と、入力された色指定の変更に基づいて、前記商品情報の印字データに対応した印字を行わせる印字制御手段と、ラベル上の印字欄に対応する印字ユニットごとの色指定を含む印字フォーマットを記憶する印字フォーマット記憶手段と、前記変更指令入力手段から入力された色指定を、前記印字フォーマット記憶手段に記憶された印字ユニットごとの印字フォーマットの色指定に優先する優先手段と、を備えている。
【０００９】
前記印字制御手段は、優先された色指定の変更に基づいて、前記商品情報の印字データに対応した印字を行わせことができるので、色指定の変更を容易に行うことができる。
【００１１】
【発明の実施の形態】
以下、本発明の実施形態を図面に基づいて説明する。
図１は、本発明の一実施形態に係るラベル発行装置を備えた計量プリンタの斜視図、図２はそのラベル発行装置の構成を示すブロック図である。図１において、計量プリンタは、品名，価格を含む印字データをラベル９に印字するラベル発行装置６、データ入力手段と表示手段が一体となったタッチパネル１０、および計量装置５を備えている。計量装置５は、その計量台５０の上に置かれた商品の重量を計量して、図２のラベル発行装置のＣＰＵ７に出力する。
【００１２】
図３は、タッチパネル１０の画面に表示されたラベル９の印字内容の一例を示す。ラベル９には、品名，価格１，加工日，賞味期限，価格２の印字欄３１〜３５等に印字データが印字される。ラベル発行装置６は、カラー印字が可能なプリンタであって、レーザビームプリンタ，ＬＥＤプリンタ，インクジェットプリンタ，サーマルプリンタ等の種々のものが採用されるが、サーマル式の場合は、前記ラベル９は、例えば、加熱温度の違いに応じて、黒色，黄色，赤色，青色などのうちの２色以上を選択的に発色できる多発色ラベル原紙が使用される。本実施形態では、黒色，赤色の２発色ラベル原紙９を用いている。図２の印字装置１４はサーマル式のものであって、そのサーマルヘッド１５は、ラベルシート１６上に並べられた２発色ラベル原紙９の表面を加熱して発色させて印字を行う。黒色と赤色は発色温度が異なっており、サーマルヘッド１５は、複数の発熱素子と、各発熱素子への通電を制御する複数のスイッチ素子とを有し、後述する印字制御手段１３によってスイッチ素子を開閉することにより、発熱素子による発熱量が制御されて発色温度を変更する。
【００１３】
ラベル９の印字フォーマットは印字フォーマット記憶手段２０に記憶されている。この印字フォーマットには、ラベル９上の印字欄に対応する印字ユニットごとに、印字の大きさ，印字の割付け場所および印字の色指定等が付されている。印字フォーマットＮｏ．は後述する商品マスタ記憶手段１８に記憶された商品ごとの商品マスタに書き込まれている。図４に、印字フォーマットのデータ構造の一例を示す。印字ユニット２７〜２９ごとに、印字する色が入力される色フラグ（Ｆ／Ｇ）欄４１，印字エリアが入力されるＸ−Ｙ座標データ欄４２，品名「はまち」や価格「７５５」等の印字データが入力される印字データ欄４３を有している。例えば色Ｆ／Ｇ欄が１であれば黒色、２であれば赤色を示す。これら印字フォーマットにおける印字データは、登録モードで書き込まれる。この登録モードでは、各印字ユニットの色Ｆ／Ｇ欄をすべて１にして、黒色に設定される。例えば、通常価格（７５５）を示す価格１欄（図３の３２）に対応する印字ユニット２８の色Ｆ／Ｇ欄は１で、黒色に設定される。なお、Ｍ特価（５９５）を示す価格２欄（図３の３５）に対応する印字ユニット２９の色Ｆ／Ｇ欄は２で、赤色に変更された状態を示している。
【００１４】
本装置のＣＰＵ７は、ラベル発行装置６全体の動作を制御するもので、ＲＯＭ１２に格納されたプログラムにしたがって動作する。ＣＰＵ７は、ラベルを発行する通常モードにおいて、入力された商品の重量に単価を掛けて販売価格を算出し、これらのデータと、印字ユニットごとに、変更指令入力手段１７から例えば赤色指定の変更指令が入力されると、変更した赤色指定を変更ユニット記憶手段１９に書き込む。
【００１５】
この変更指令入力手段１７は、タッチパネル１０と、そこに表示される変更用の画面とで構成される。そして、印字データを図３のようにラベルへの印字体裁で表示させ、その状態で、色指定を変更したい欄、例えば、表示画面上の価格欄３２をタッチすれば、そこの印字色や、印字データを表示する表示モードを選択するための画面が新たに重ねて表示され、そこで色指定や表示モードを選択すれば、登録された色指定や印字データが変更される。
【００１６】
優先手段２１は、変更指令入力手段１７から入力された色指定を、上記印字フォーマット記憶手段２０に記憶された印字ユニットごとの印字フォーマットに付された印字の色指定よりも優先させるものである。
【００１７】
図５のように、商品マスタ記憶手段１８は、商品ごとに分けて、商品情報欄５１に品名，賞味期限，価格，印字フォーマットＮｏ．を含む商品情報と、色Ｆ／Ｇ欄５２に商品情報ごとの色指定とを記憶している。上記のように、変更ユニット記憶手段１９に色指定の変更が書き込まれると、商品マスタ記憶手段１８の各商品情報の色Ｆ／Ｇ欄５２が変更される。例えば、賞味期限欄は１で黒色、価格欄は２で赤色に変更されている。商品コードや印字フォーマットＮｏ．欄には色指定は不要なので、色Ｆ／Ｇ欄５２はブランクとされる。なお、商品マスタ記憶手段１８をラベル発行装置６の外部に設けてもよい。
【００１８】
ＣＰＵ７は、上記印字フォーマット記憶手段２０に記憶された黒色の印字フォーマットにおいて、上記商品マスタ記憶手段１８に記憶された黒色の印字データおよび赤色の印字データを、２発色ラベル原紙９への印字データに展開してタッチパネル１０の画面に表示する（図３）。
【００１９】
印字制御手段１３は、ＣＰＵ７から印字指令を受けると、上記黒色の印字フォーマットにおける印字データと、上記変更指令に基づいて変更された赤色の印字データとに基づいて、印字装置１４のサーマルヘッド１５を制御して印字を行わせる。
【００２０】
上記構成のラベル発行装置６の動作を説明する。
まず、登録モードにおいて、商品ごとに、印字フォーマット記憶手段２０に印字フォーマットが記憶され、商品マスタ記憶手段１８に、品名，賞味期限，印字フォーマットＮｏ．を含む商品情報と、商品情報ごとの色指定とが記憶される。つぎに、ラベルを発行する通常モードにおいて、本装置は、ＲＯＭ１２に格納されているプログラムにしたがって、以下のように動作する。
【００２１】
図６は、本装置の動作を示すフローチャートである。
まず、通常モードにおいて、商品を指定すると、当該商品に関するデータが、、図７のような印字体裁（計量値付け画面）で表示される（図６のステップＳ１）。商品ごとに図１の計量装置５で商品の重量が計量されて商品の価格が求められる。つぎに、色指定の変更が入力されたか否かが確認される（ステップＳ２）。色指定の変更指令がなければ、印字条件が整った段階で、通常の黒色の印字データで印字が実行される（ステップＳ３）。例えば、価格１欄（図３の３２）および価格２欄（図３の３５）では共に通常価格「７５５」が黒色で印字される。一方、表示された「Ｍ特価」がタッチされると、図８のＭ特価モード設定画面が重ねて表示される（ステップＳ４）。この画面では、印字データの印字色の選択と、印字選択とが可能となっている。印字データの印字色は、例えば、赤，黒，黄，青色の選択が可能となっている。「参照」により、現在設定されている色指定を確認できる。印字選択では、例えば、値引き後の金額を示す「Ｍ特価」と、値引きの金額を示す「−円」と、値引きの割合を示す「−％」が選択可能となっている。この画面において印字色および印字選択の選択を行うことにより（ステップＳ５）、この選択された色指定を含む印字データの変更に基づいて、商品マスタ記憶手段１８に記憶された商品情報の変更した色指定の印字データに対応した印字が行われる（ステップＳ６）。
【００２２】
例えば、図８の画面で、「Ｍ特価」と、印字色「赤」が選択されると、図４のように、印字ユニット２９の色Ｆ／Ｇ欄４１を２に、つまり赤色指定に変更するとともに、印字データを通常価格「７５５」からＭ特価「５９５」に変更して、図３のように、ラベル９の価格２欄３５に、Ｍ特価（５９５）の金額を赤色で印字する。
【００２３】
なお、図３の特価欄３５の印字ユニットだけでなく、賞味期限欄３４の印字ユニットや、品名欄３１の印字ユニット等においても、同様に色指定や表示モードを変えることができる。その際、例えば野菜、肉等の種類ごとに色指定のみを行うようにしてもよい。
【００２４】
このように、本発明は、登録モードではなく、ラベルを発行する通常モードで、印字ユニットごとに、色指定の変更指令を入力することにより、この変更指令に基づいて、変更した色指定の印字データに対応した印字を行わせることができるので、色指定の変更を容易に行うことができる。
【００２５】
【発明の効果】
以上のように、本発明の一構成によれば、通常モードで、印字ユニットごとに、色指定の変更指令を入力することにより、変更した色指定の印字データに対応した印字を行わせることができるので、色指定の変更を容易に行うことができる。
【００２６】
本発明の他の構成によれば、商品マスタ記憶手段に記憶された個々の商品情報の色指定の変更を入力することにより、商品情報の印字データに対応した印字を行わせることができるので、色指定の変更を容易に行うことができる。
【図面の簡単な説明】
【図１】本発明の一実施形態に係るラベル発行装置を備えた計量プリンタを示す斜視図である。
【図２】上記ラベル発行装置を示すブロック図である。
【図３】ラベルの印字フォーマットの一例を示す図である。
【図４】ラベルの印字フォーマットの一例を示す図である。
【図５】商品ファイルの一例を示す図である。
【図６】上記ラベル発行装置の動作を示すフローチャートである。
【図７】計量値付け画面の一例を示す図である。
【図８】Ｍ特価画面の一例を示す図である。
【符号の説明】
９…ラベル、１３…印字制御手段、１７…変更指令入力手段、１８…商品マスタ記憶手段、１９…変更ユニット記憶手段、２０…印字フォーマット記憶手段、２１…優先手段。
【図１】
0004373526.tif 000002
【図２】
0004373526.tif 000003
【図３】
0004373526.tif 000004
【図４】
0004373526.tif 000005
【図５】
0004373526.tif 000006
【図６】
0004373526.tif 000007
【図７】
0004373526.tif 000008
【図８】
0004373526.tif 000009